(57)【要約】【課題】  認証処理を行うための暗号鍵をあらかじめ記憶しておくことなく、ディジタル信号を出力する機器を切り替えた場合に、切り替え前の機器からの映像及び切り替え後の機器からの映像を途切れることなしに連続的に表示することが可能な「ディジタル信号切り替え装置及びディジタル信号切り替え方法」を提供する。【解決手段】  操作部１７によって新たに機器が選択された場合に、認証処理部１２によって認証処理が終了して暗号鍵を取得してから、選択された機器からのディジタル信号を暗号化解除部１３に入力させることで、認証処理中には、切り替え前の機器からの映像が表示され、認証処理後に、切り替え後の機器からの映像が表示されるので、認証処理による暗号鍵を記憶しておくことなく、映像を表示部１５に連続的に表示させることができ、ユーザは、ストレスのない視聴を行うことができる。【選択図】        図２
2006128971.tif 000002
【特許請求の範囲】
【請求項１】
少なくともビデオ信号を含む暗号化されたディジタル信号を送信する複数の機器から所望の機器を選択するための操作部と、前記操作部によって選択された機器との間で認証処理を行い、前記ディジタル信号の暗号化を解除する暗号鍵を取得する認証処理部と、前記認証処理部によって得られた暗号鍵によって前記ディジタル信号の暗号化を解除する暗号化解除部とを備えた電子機器に適用されるディジタル信号切り替え装置であって、
前記操作部によって選択された機器のディジタル信号を受信して、前記暗号化解除部に出力する入力部と、
前記操作部によって新たに機器が選択された場合に、前記認証処理部による認証処理が終了してから、新たに選択された機器のディジタル信号の受信を開始するように前記入力部を制御する制御部と、
を備えたディジタル信号切り替え装置。
【請求項２】
前記制御部は、前記操作部によって新たに機器が選択された場合に、前記認証処理部による認証処理が終了してから、前記新たに選択された機器よりも前に選択されていた機器からのディジタル信号の受信を停止するように前記入力部を制御することを特徴とする請求項１に記載のディジタル信号切り替え装置。
【請求項３】
少なくともビデオ信号を含む暗号化及び圧縮が施されたディジタル信号を送信する複数の機器から所望の機器を選択するための操作部と、前記操作部によって選択された機器との間で認証処理を行い、前記ディジタル信号の暗号化を解除する暗号鍵を取得する認証処理部とを備えた電子機器に適用されるディジタル信号切り替え装置であって、
前記操作部によって選択された機器の圧縮されたディジタル信号を受信する入力部と、
前記認証処理部によって得られた暗号鍵によって前記入力部より入力したディジタル信号の暗号化を解除する第1の暗号化解除部と、
前記第1の暗号化解除部によって暗号化を解除されたディジタル信号を伸張する第1のディジタル信号伸張部と、
前記操作部によって新たに機器が選択された場合に、前記入力部より入力した新たに選択された機器からのディジタル信号の暗号化を、前記認証処理部によって得られた暗号鍵によって解除する第２の暗号化解除部と、
前記第２の暗号化解除部によって暗号化を解除されたディジタル信号を伸張する第２のディジタル信号伸張部と、
前記第１のディジタル信号伸張部及び前記第２のディジタル信号伸張部からのディジタル信号を入力し、何れかのディジタル信号を選択して出力する出力切り替え部と、
前記第１のディジタル信号伸張部から出力されたディジタル信号が前記出力切り替え部により選択されている状態で、前記操作部によって新たに機器が選択された場合に、前記第２のディジタル信号伸張部からディジタル信号が出力されてから、前記第２のディジタル信号伸張部から出力されたディジタル信号を選択して出力するように前記出力切り替え部を制御する制御部と、
を備えたことを特徴とするディジタル信号切り替え装置。
【請求項４】
少なくともビデオ信号を含む暗号化されたディジタル信号を送信する複数の機器の中から、ある機器のディジタル信号を受信して暗号化を解除している状態で、操作部によって他の機器が選択されたか否かを制御部にて調べる第１のステップと、
前記第１のステップにて、前記他の機器が選択されたと判断した場合に、認証処理部によって認証処理を行う第２のステップと、
前記第２のステップにて行われた前記他の機器との認証処理によって、暗号鍵を取得したか否かを制御部にて調べる第３のステップと、
前記第３のステップにて、前記暗号鍵を取得したと判断した場合に、前記他の機器からディジタル信号を受信して暗号化を解除する第４のステップと、
を備えたディジタル信号切り替え方法。
【発明の詳細な説明】
【技術分野】
【０００１】
本発明は、複数の機器から出力されるディジタル信号を切り替えるディジタル信号切り替え装置及びディジタル信号切り替え方法に関するものである。
【背景技術】
【０００２】
映像及び音声を含むディジタル信号を圧縮して放送するディジタル放送を受信するためのディジタル放送チューナ、ディジタル信号を圧縮して磁気テープに記録するディジタルＶＴＲ（Video Tape Recorder）、ディジタル信号を圧縮して記録した光ディスクや光磁気ディスクを再生するディスク再生装置など、ディジタル信号を記録／再生する機器がある。また、これらの機器に加えて、ディジタル信号を入力して画面上に画像を表示し、スピーカより音声を出力するモニタ装置などがある。
【０００３】
最近では、これらのディジタル機器をＩＥＥＥ１３９４（Institute of Electrical and Electronic Engineers 1394）やＭＯＳＴ（Media Oriented System Transport）のようなディジタル信号バスにて接続し、バスを介してディジタル機器間で映像や音声をやり取りできるようにする試みがなされている。ところが、このようなディジタル信号は、ディジタル信号バスを用いて送受信すると、品質を劣化させることなく送受信することができる。受信したディジタル信号は、その品質を劣化させることなく多量にコピーすることができる。そのため、ディジタル信号を不正にコピーしようとする行為から守るための方法が必要となる。
【０００４】
不正コピーを防止するために、ディジタル信号の送信側の機器と受信側の機器との間で認証処理を行い、認証が成立した場合には、送信側の機器でディジタル信号を暗号化したときの暗号鍵を受信側の機器に送る暗号化技術が知られている。ここで、受信側の機器では、送信側の機器から取得した暗号鍵を用いて、送信側の機器から入力したディジタル信号の暗号化を解除する。
【０００５】
また、ディジタル信号バスで接続された複数の機器の中から所望の機器を選択して、選択した所望の機器から暗号化されたディジタル信号を受信し、その暗号化を解除して映像を表示するモニタ装置などのディジタル信号切り替え装置が知られている。しかしながら、従来のディジタル信号切り替え装置では、所望の機器を選択した場合に、所望の機器を選択する前にディジタル信号を受信していた機器による映像の表示を終了し、その後で選択した所望の機器の認証処理を行って暗号鍵を取得するので、認証処理を行っている間は映像の表示が途切れてしまうという問題があった。
【０００６】
そのため、ディジタル信号の送信側の機器と受信側のディジタル信号切り替え装置との間で、それぞれの機器の電源投入時や、それぞれの機器をディジタル信号バスに接続したときにあらかじめ認証処理を行い、認証処理によって得られた暗号鍵を記憶しておく技術が知られている（例えば特許文献１など）。
【特許文献１】特開２０００−４８４８０号公報
【０００７】
しかしながら、特許文献１に記載の技術では、ディジタル信号の暗号化を解除するための暗号鍵を記憶する記憶装置が必要になるという問題があった。また、ディジタル信号切り替え装置に多数の機器が接続されたときに、暗号鍵を記憶するために大容量の記憶装置が必要になるという問題があった。また、暗号鍵が時間の経過とともに変化するような場合や暗号鍵が使用後に破棄されるような場合には、暗号鍵を記憶していても、次にディジタル信号の暗号化を解除する際には、記憶した暗号鍵を使用できなくなってしまうという問題があった。
【発明の開示】
【発明が解決しようとする課題】
【０００８】
本発明は、このような問題を解決するために成されたものであり、認証処理を行うための暗号鍵をあらかじめ記憶しておくことなく、ディジタル信号を受信する機器の選択を切り替えた場合に、切り替え前の機器からの映像及び切り替え後の機器からの映像を途切れることなしに連続的に表示できるようにすることを目的とする。
【課題を解決するための手段】
【０００９】
上記した課題を解決するために、本発明では、操作部によって新たに機器が選択された場合に、認証処理部によって新たに選択された機器との認証処理が終了してディジタル信号の暗号化を解除する暗号鍵を取得してから、新たに選択された機器からのディジタル信号を入力部にて受信し、暗号化解除部に入力させるようにしている。
【発明の効果】
【００１０】
上記のように構成した本発明によれば、切り替え後の機器の認証処理を行っているときには、切り替え前の機器からの映像が続けて表示され、認証処理が終了した後に、切り替え後の機器からの映像に切り替えられて表示される。従って、事前の認証処理によって暗号鍵をあらかじめ取得して記憶しておくことなく、切り替え前の機器からの映像及び切り替え後の機器からの映像を表示部に連続的に表示させることができる。そのため、ユーザは、ストレスのない視聴を行うことができる。
【発明を実施するための最良の形態】
【００１１】
（第１の実施形態）
以下、本発明による第１の実施形態を図面に基づいて説明する。図１は、第１の実施形態によるディジタル信号切り替え装置３を接続したディジタル信号伝送システムの構成例を示すブロック図である。また、図２は、本実施形態によるディジタル信号切り替え装置３の構成例を示すブロック図である。
【００１２】
図１において、１はＤＶＤ（Digital Versatile Disc）再生装置であり、図示しないＤＶＤを再生し、ディジタルビデオ信号やディジタルオーディオ信号などのディジタル信号を出力する。２はディジタル放送受信装置であり、図示しないディジタル放送受信アンテナによってディジタル放送を受信し、ディジタルビデオ信号やディジタルオーディオ信号などのディジタル信号を出力する。ここで、ディジタル信号は非圧縮の信号である。
【００１３】
本実施形態のディジタル信号切り替え装置３は、ＤＶＤ再生装置１やディジタル放送受信装置２から出力されたディジタル信号の何れか一方を選択して受信する。例えば、ディジタル信号切り替え装置３はモニタ装置であり、受信したディジタル信号をアナログ信号に変換してビデオ信号及びオーディオ信号を出力する。また、ディジタル信号切り替え装置３は、ＤＶＤ再生装置１及びディジタル放送受信装置２を制御することができ、ＤＶＤ再生装置１の再生や停止、ディジタル放送受信装置２の受信開始やチャンネルの切り替えなどの操作が可能である。
【００１４】
また、Ｄ１はＤＶＤ再生装置１及びディジタル放送受信装置２を結ぶディジタル信号バスであり、Ｄ２はＤＶＤ再生装置１及びディジタル信号切り替え装置３を結ぶディジタル信号バスである。これらのディジタル信号バスＤ１，Ｄ２は、ＩＥＥＥ１３９４やＭＯＳＴなどの規格によるものであり、ＤＶＤ再生装置１やディジタル放送受信装置２から出力されるビデオ信号やオーディオ信号をディジタル信号のまま伝送することができる。
【００１５】
ここで、ディジタル放送受信装置２から出力されるディジタル信号は、ディジタル信号バスＤ１、ＤＶＤ再生装置１、ディジタル信号バスＤ２を介してディジタル信号切り替え装置３に出力される。逆に、ディジタル信号切り替え装置３から出力される制御信号は、ディジタル信号バスＤ２、ＤＶＤ再生装置１、ディジタル信号バスＤ１を介してディジタル放送受信装置２に出力される。
【００１６】
また、各機器間を伝送されるディジタル信号は、ＤＴＣＰ（Digital Transmission Content Protection）などの方式によって著作権を保護される。そのため、ＤＶＤ再生装置１及びディジタル放送受信装置２では、暗号鍵によってディジタル信号を暗号化して出力する。また、ＤＶＤ再生装置１及びディジタル放送受信装置２では、ディジタル信号切り替え装置３からの認証処理要求に基づいて、ディジタル信号切り替え装置３が不正な機器であるか否かを判断する。そして、不正な機器でないと判断した場合に、ＤＶＤ再生装置１及びディジタル放送受信装置２は、ディジタル信号を暗号化する際に使用した暗号鍵をディジタル信号切り替え装置３に出力する。
【００１７】
ディジタル信号切り替え装置３は、入力部１１、認証処理部１２、暗号化解除部１３、Ｄ／Ａ変換部１４、表示部１５、音声出力部１６、操作部１７、制御部１８を備えて構成される。入力部１１は、ＤＶＤ再生装置１及びディジタル放送受信装置２の何れか一方から送信される暗号化されたディジタル信号を受信する。しかしながら、入力部１１では、受信したディジタル信号の暗号化を解除するための暗号鍵を取得するまで、ディジタル信号の暗号化を解除できないので、ディジタル信号による映像や音声を出力することができない。
【００１８】
認証処理部１２では、入力部１１を介して認証処理要求信号をＤＶＤ再生装置１やディジタル放送受信装置２に出力する。ここで、認証処理要求信号には、ディジタル信号切り替え装置３を識別するための識別情報が含まれている。ＤＶＤ再生装置１やディジタル放送受信装置２では、認証処理要求信号を入力すると、識別情報によってディジタル信号切り替え装置３が正当な機器か否かを判断し、正当であると判断したときには、暗号鍵をディジタル信号切り替え装置３に送信する。認証処理部１２では、ＤＶＤ再生装置１やディジタル放送受信装置２から送信されて入力部１１にて受信した暗号鍵を取得する。
【００１９】
暗号化解除部１３は、入力部１１によって受信したディジタル信号を入力し、認証処理部１２にて取得した暗号鍵によってディジタル信号の暗号化を解除して、暗号化を解除したディジタル信号を出力する。
【００２０】
Ｄ／Ａ変換部１４では、暗号化解除部１３によって暗号化を解除されたディジタル信号を入力する。また、Ｄ／Ａ変換部１４は、入力したディジタル信号をアナログ信号に変換して、ビデオ信号及びオーディオ信号を生成し、ビデオ信号を表示部１５に、オーディオ信号を音声出力部１６にそれぞれ出力する。
【００２１】
表示部１５は、Ｄ／Ａ変換部１４から入力したビデオ信号に基づいて映像を表示する。また、音声出力部１６は、Ｄ／Ａ変換部１４から入力したオーディオ信号に基づいて音声を出力する。また、操作部１７は、ディジタル信号を受信する機器をユーザが選択する操作などを行うためのものである。
【００２２】
制御部１８は、前述した各構成要素を制御する。具体的には、制御部１８は、操作部１７の操作に応じて、ディジタル信号を受信する機器を選択する。すなわち、操作部１７にてＤＶＤ再生装置１又はディジタル放送受信装置２の何れかが選択されると、制御部１８は、入力部１１を介して、ＤＶＤ再生装置１又はディジタル放送受信装置２を選択する機器選択信号を出力する。また、制御部１８は、入力部１１を制御して、ＤＶＤ再生装置１やディジタル放送受信装置２から受信するディジタル信号のための帯域及びチャンネルをディジタル信号バスＤ２上に確保する。ＤＶＤ再生装置１又はディジタル放送受信装置２では、機器選択信号に応答して、ディジタル信号バスＤ１，Ｄ２を介してディジタル信号選択装置３にディジタル信号を送信する。
【００２３】
また、制御部１８は、操作部１７の操作に応じてＤＶＤ再生装置１の再生操作を行ったり、ディジタル放送受信装置２の放送の受信を開始したり、チャンネルを変更したりする。また、制御部１８は、入力部１１及び認証処理部１２を制御して、操作部１７によって選択された機器に対して認証要求信号を出力させる。認証処理部１２が入力部１１を介して暗号鍵を取得すると、制御部１８は、入力部１１を制御して、選択された機器からのディジタル信号を受信させる。また、選択された機器からのディジタル信号が暗号化解除部１３に入力されると、制御部１８は、認証処理部１２が取得した暗号鍵を暗号化解除部１３に出力する。暗号化解除部１３では、入力した暗号鍵を使用してディジタル信号の暗号化を解除し、得られたディジタル信号をＤ／Ａ変換部１４に出力する。
【００２４】
次に、第１の実施形態によるディジタル信号切り替え装置３の動作及びディジタル信号切り替え方法を説明する。図３は、第１の実施形態によるディジタル信号切り替え装置３の動作及びディジタル信号切り替え方法の一例を示すフローチャートである。ここで、ディジタル信号切り替え装置３は、ある機器（例えばＤＶＤ再生装置１など）からディジタル信号を既に受信し、その映像を表示部１５に表示しているものとする。
【００２５】
まず、制御部１８は、操作部１７によって他の機器（例えばディジタル放送受信装置２など）が選択されたか否かを調べる（ステップＳ１）。操作部１７によって他の機器が選択されないと制御部１８にて判断した場合には（ステップＳ１にてＮＯ）、ステップＳ１の処理を繰り返す。
【００２６】
一方、操作部１７によって他の機器が選択されたと制御部１８にて判断した場合には（ステップＳ１にてＹＥＳ）、制御部１８は、入力部１１を介して機器選択信号を出力すると共に、入力部１１を制御して、ディジタル放送受信装置２からのディジタル信号を受信するための帯域及びチャンネルをディジタル信号バスＤ１，Ｄ２上に確保する（ステップＳ２）。
【００２７】
そして、制御部１８は、入力部１１を介して、ディジタル放送受信装置２を制御し、ディジタル放送受信装置２からディジタル信号を送信させる（ステップＳ３）。なお、第1の実施形態では、ディジタル信号切り替え装置３は、他の機器が選択されたときに、その機器からのディジタル信号を受信するための帯域及びチャンネルを確保しているが、これに限定されない。例えば、図４に示すように、他のディジタル信号切り替え装置４がディジタル信号バスＤ３，Ｄ４やディジタル信号切り替え装置３を介してＤＶＤ再生装置１やディジタル放送受信装置２に接続されている場合に、選択された他の機器が他のディジタル信号切り替え装置４にディジタル信号を既に出力しているような場合には、これらの処理を行う必要がない。
【００２８】
また、制御部１８は、認証処理部１２を制御してディジタル放送受信装置２との間で認証処理を行う（ステップＳ４）。認証処理部１２では、入力部１１を介して、認証処理要求信号をディジタル放送受信装置２に出力する。ディジタル放送受信装置２では、認証処理要求信号を入力すると、その認証処理要求信号中に含まれているディジタル信号切り替え装置３の識別情報によってディジタル信号切り替え装置３が正当であるか否かを判断し、正当であると判断したときには、暗号鍵をディジタル信号切り替え装置３に出力する。
【００２９】
次に、制御部１８は、認証処理部１２が暗号鍵を取得したか否かを調べる（ステップＳ５）。認証処理部１２が暗号鍵を取得しなかったと制御部１８にて判断した場合には（ステップＳ５にてＮＯ）、ステップＳ１１にジャンプする。
【００３０】
一方、認証処理部１２が暗号鍵を取得したと制御部１８にて判断した場合には（ステップＳ５にてＹＥＳ）、制御部１８は、入力部１１を制御して、ＤＶＤ再生装置１からのディジタル信号の受信を停止する（ステップＳ６）。また、制御部１８は、ＤＶＤ再生装置１を制御して、ディジタル信号の送信を停止させる（ステップＳ７）。そして、制御部１８は、入力部１１を制御して、ディジタル放送受信装置２からのディジタル信号の受信を開始する（ステップＳ８）。
【００３１】
なお、第1の実施形態では、ディジタル信号切り替え装置３は、選択された機器（ここではディジタル放送受信装置２）からのディジタル信号を受信した後に、切り替え前にディジタル信号を受信していた機器（ここではＤＶＤ再生装置１）を制御して、ディジタル信号の送信を停止させるようにしているが、これに限定されない。例えば、図４に示すように、ディジタル信号切り替え装置３がＤＶＤ再生装置１からのディジタル信号の受信を停止した場合でも、他のディジタル信号切り替え装置４がＤＶＤ再生装置１からのディジタル信号の受信を継続しているときには、これらの処理を行う必要がない。
【００３２】
ディジタル放送受信装置２から受信したディジタル信号は、入力部１１から出力され、暗号化解除部１３に入力される。制御部１８は、認証処理部１２にて取得した暗号鍵を暗号化解除部１３に送る。暗号化解除部１３では、制御部１８より入力した暗号鍵を用いて、ディジタル信号の暗号化を解除する（ステップＳ９）。
【００３３】
暗号化解除部１３から出力されたディジタル信号は、Ｄ／Ａ変換部１４に入力される。Ｄ／Ａ変換部１４は、入力したディジタル信号をアナログ信号に変換してビデオ信号を表示部１５に出力し、オーディオ信号を音声出力部１６に出力する。表示部１５では、切り替え後の機器（ここではディジタル放送受信機２）から受信したディジタル信号によるビデオ信号をＤ／Ａ変換部１４より入力し、映像を表示する（ステップＳ１０）。ここで、ステップＳ６からステップＳ１０までの処理は、短時間で行われるため、表示部１５に表示される映像は殆ど途切れることがない。
【００３４】
制御部１８では、操作部１７によって表示を終了する操作（例えば、ディジタル信号切り替え装置３の電源をオフにする操作など）が行われたか否かを調べる（ステップＳ１１）。操作部１７によって表示を終了する操作が行われないと制御部１８にて判断した場合には（ステップＳ１１にてＮＯ）、ステップＳ１の処理に戻る。一方、操作部１７によって表示を終了する操作が行われたと制御部１８にて判断した場合には（ステップＳ１１にてＹＥＳ）、処理を終了する。
【００３５】
以上詳しく説明したように、第１の実施形態によれば、操作部１７によって新たに機器が選択された場合に、認証処理部１２によって新たに選択された機器との認証処理が終了してディジタル信号の暗号化を解除する暗号鍵を取得してから、切り替え前の機器からのディジタル信号の受信を停止して、新たに選択された機器からのディジタル信号を入力部１１にて受信し、暗号化解除部１３に入力させるようにしているので、認証処理を行っているときには、切り替え前の機器からの映像が表示部１５に表示され、認証処理が終了した後に、切り替え後の機器からの映像が表示部１５に表示される。従って、事前の認証処理によってあらかじめ暗号鍵を取得して記憶しておくことなく、切り替え前の機器からの映像及び切り替え後の機器からの映像を表示部１５に連続的に表示させることができる。そのため、ユーザは、ストレスのない視聴を行うことができる。
【００３６】
また、本実施形態によれば、新たに選択された機器への切り替えが失敗した場合に、切り替え前の機器からの映像の送信を停止しないので、映像を表示したままとすることができる。従って、切り替えが失敗した場合に、元の機器（切り替え前の機器）を再度選択する処理を行わなくて良い。ここで、新たに選択された機器への切り替えが失敗する場合とは、例えば、ディジタル信号バスＤ１，Ｄ２上にディジタル信号を伝送するための空き領域が無い場合や、新たに選択された機器との間の認証処理が失敗した場合などである。
【００３７】
（第２の実施形態）
次に、本発明の第２の実施形態を図面に基づいて説明する。図５は、第２の実施形態によるディジタル信号切り替え装置１９の構成例を示すブロック図である。図５に示すように、第２の実施形態によるディジタル信号切り替え装置１９では、図１に示した第１の実施形態のディジタル信号切り替え装置３とは、第１の暗号化解除部１３ａ、第２の暗号化解除部１３ｂ、第１のディジタル信号伸張部２０ａ、第２のディジタル信号伸張部２０ｂ、出力切り替え部２１を備える点で異なる。また、第２の実施形態によるディジタル信号切り替え装置１９では、圧縮されたディジタル信号を受信する。
【００３８】
第１の暗号化解除部１３ａは、何れかの機器から受信したディジタル信号の暗号化を解除する。また、第１のディジタル信号伸張部２０ａは、第１の暗号化解除部１３ａで暗号化を解除されたディジタル信号を伸張する。また、第２の暗号化解除部１３ｂは、他の機器から受信したディジタル信号の暗号化を解除する。また、第２のディジタル信号伸張部２０ｂは、第２の暗号化解除部１３ｂで暗号化を解除されたディジタル信号を伸張する。また、出力切り替え部２１は、第１のディジタル信号伸張部２０ａ及び第２のディジタル信号伸張部２０ｂから伸張されたディジタル信号を入力し、何れかのディジタル信号を選択して出力する。
【００３９】
出力切り替え部２１が第１のディジタル信号伸張部２０ａから出力されたディジタル信号（例えば、切り替え前の機器から受信したディジタル信号）のみを入力している場合には、制御部１８は、この信号を出力するように出力切り替え部２１を制御する。一方、出力切り替え部２１が第２のディジタル信号伸張部２０ｂから出力されたディジタル信号（例えば、切り替え後の機器から受信したディジタル信号）も入力したときに、制御部１８は、この信号を出力するように出力切り替え部２１を制御する。
【００４０】
次に、第２の実施形態によるディジタル信号切り替え装置１９の動作及びディジタル信号切り替え方法を説明する。図６は、第２の実施形態によるディジタル信号切り替え装置１９の動作及びディジタル信号切り替え方法の一例を示すフローチャートである。ここで、ディジタル信号切り替え装置１９は、ある機器（例えばＤＶＤ再生装置１など）からディジタル信号を既に受信し、その映像を表示部１５に表示しているものとする。
【００４１】
具体的には、ＤＶＤ再生装置１から受信したディジタル信号に基づく映像を表示部１５に表示するまでに、以下の動作が行われる。まず、ディジタル信号切り替え装置１９では、ＤＶＤ再生装置１から送信されるディジタル信号を入力部１１にて受信し、受信したディジタル信号を第1の暗号化解除部１３ａに出力する。第１の暗号化解除部１３ａでは、認証処理部１２によって得られた暗号鍵を用いてディジタル信号の暗号化を解除する。暗号化を解除されたディジタル信号は、第１のディジタル信号伸張部２０ａに出力される。第１のディジタル信号伸張部２０ａでは、圧縮されたディジタル信号を伸張して出力切り替え部２１に出力する。出力切り替え部２１では、第１のディジタル信号伸張部２０ａからディジタル信号を入力しているだけなので、そのディジタル信号をＤ／Ａ変換部１４に出力する。Ｄ／Ａ変換部１４は、入力したディジタル信号をアナログ信号に変換してビデオ信号及びオーディオ信号を生成し、ビデオ信号を表示部１５に出力し、オーディオ信号を音声出力部１６に出力している。
【００４２】
この状態で、制御部１８は、操作部１７によって他の機器（例えばディジタル放送受信装置２など）が選択されたか否かを調べる（ステップＳ２１）。操作部１７によって他の機器が選択されないと制御部１８にて判断した場合には（ステップＳ２１にてＮＯ）、ステップＳ２１の処理を繰り返す。
【００４３】
一方、操作部１７によって他の機器が選択されたと制御部１８にて判断した場合には（ステップＳ２１にてＹＥＳ）、制御部１８は、入力部１１を介して機器選択信号を出力すると共に、入力部１１を制御して、ディジタル放送受信装置２からのディジタル信号を受信するための帯域及びチャンネルをディジタル信号バスＤ１，Ｄ２上に確保する（ステップＳ２２）。
【００４４】
そして、制御部１８は、入力部１１を介して、ディジタル放送受信装置２を制御し、ディジタル放送受信装置２からディジタル信号を送信させる（ステップＳ２３）。また、制御部１８は、認証処理部１２を制御してディジタル放送受信装置２との間で認証処理を行う（ステップＳ２４）。認証処理部１２では、入力部１１を介して、認証処理要求信号をディジタル放送受信装置２に出力する。ディジタル放送受信装置２では、認証処理要求信号を入力すると、その認証処理要求信号中に含まれているディジタル信号切り替え装置１９の識別情報によってディジタル信号切り替え装置１９が正当であるか否かを判断し、正当であると判断したときには、暗号鍵をディジタル信号切り替え装置１９に出力する。
【００４５】
次に、制御部１８は、認証処理部１２が暗号鍵を取得したか否かを調べる（ステップＳ２５）。認証処理部１２が暗号鍵を取得しなかったと制御部１８にて判断した場合には（ステップＳ２５にてＮＯ）、ステップＳ３４にジャンプする。
【００４６】
一方、認証処理部１２が暗号鍵を取得したと制御部１８にて判断した場合には（ステップＳ２５にてＹＥＳ）、制御部１８は、入力部１１を制御して、ディジタル放送受信装置２からのディジタル信号の受信を開始する（ステップＳ２６）。
【００４７】
制御部１８は、ディジタル放送受信装置２から受信したディジタル信号を第２の暗号化解除部１３ｂに出力するように入力部１１を制御する。また、制御部１８は、認証処理部１２にて取得した暗号鍵を第２の暗号化解除部１３ｂに送る。第２の暗号化解除部１３ｂでは、制御部１８より入力した暗号鍵を用いて、ディジタル信号の暗号化を解除する（ステップＳ２７）。
【００４８】
第２の暗号化解除部１３ｂにて暗号化を解除されたディジタル信号は、第２のディジタル信号伸張部２０ｂに出力される。第２のディジタル信号伸張部２０ｂでは、圧縮されたディジタル信号を伸張して出力切り替え部２１に出力する（ステップＳ２８）。
【００４９】
制御部１８は、出力切り替え部２１が第２のディジタル信号伸張部２０ｂよりディジタル信号を入力したか否かを調べる（ステップＳ２９）。出力切り替え部２１が第２のディジタル信号伸張部２０ｂよりディジタル信号を入力していないと制御部１８にて判断した場合には（ステップＳ２９にてＮＯ）、ステップＳ２９の処理を繰り返す。
【００５０】
一方、出力切り替え部２１が第２のディジタル信号伸張部２０ｂよりディジタル信号を入力したと制御部１８にて判断した場合には（ステップＳ２９にてＹＥＳ）、制御部１８は、第１のディジタル信号伸張部２０ａより入力したディジタル信号をＤ／Ａ変換部１４に出力している状態から、第２のディジタル信号伸張部２０ｂより入力したディジタル信号をＤ／Ａ変換部１４に出力する状態に出力切り替え部２１を制御する（ステップＳ３０）。Ｄ／Ａ変換部１４は、入力したディジタル信号をアナログ信号に変換して、ビデオ信号及びオーディオ信号を生成し、ビデオ信号を表示部１５に出力し、オーディオ信号を音声出力部１６に出力する。表示部１５では、切り替え後の機器（ここではディジタル放送受信機２）から受信したディジタル信号に基づくビデオ信号をＤ／Ａ変換部１４より入力し、映像を表示する（ステップＳ３１）。
【００５１】
表示部１５にディジタル放送受信機２からの映像が表示された後に、制御部１８は、入力部１１を制御して、ＤＶＤ再生装置１からのディジタル信号の受信を停止する（ステップＳ３２）。また、制御部１８は、ＤＶＤ再生装置１を制御して、ディジタル信号の送信を停止させる（ステップＳ３３）。
【００５２】
次に、制御部１８では、操作部１７によって表示を終了する操作（例えば、ディジタル信号切り替え装置１９の電源をオフにする操作など）が行われたか否かを調べる（ステップＳ３４）。操作部１７によって表示を終了する操作が行われないと制御部１８にて判断した場合には（ステップＳ３４にてＮＯ）、ステップＳ２１の処理に戻る。一方、操作部１７によって表示を終了する操作が行われたと制御部１８にて判断した場合には（ステップＳ３４にてＹＥＳ）、処理を終了する。
【００５３】
以上詳しく説明したように、第２の実施形態によれば、操作部１７によって新たに機器が選択された場合に、第２の暗号化解除部１３ｂにて切り替え後の機器から受信したディジタル信号の暗号化を解除し、第２のディジタル信号伸張部２０ｂにて伸張しているときには、切り替え前の機器からの映像が表示部１５に表示され、切り替え後の機器から受信したディジタル信号（暗号化を解除され、伸張されたもの）が出力切り替え部２１に入力したときに、切り替え後の機器からの映像が表示部１５に表示される。従って、ディジタル信号切り替え部１９が圧縮されたディジタル信号を受信する場合でも、切り替え前の機器からの映像及び切り替え後の機器からの映像を表示部１５に連続的に表示させることができる。そのため、ユーザは、ストレスのない視聴を行うことができる。
【００５４】
なお、上記第１の実施形態及び第２の実施形態では、切り替え前の機器からの映像を表示している状態から切り替え後の機器からの映像を表示する状態に変化する際に、ユーザに通知をしていないが、これに限定されない。例えば、切り替え前の機器からの映像を表示している図７（ａ）の状態から、新たに選択された機器からの映像を表示する図７（ｃ）の状態に切り替える際に、切り替え後の機器の認証処理（第２の実施形態の場合には更に伸張処理）を行っている間には、図７（ｂ）に示すように、「ソース切り替え中です」といったメッセージを表示するようにしても良い。この場合、メッセージを点滅させて強調しても良いし、メッセージを音声出力部１６から出力するようにしても良い。
【００５５】
また、上記第1の実施形態及び第２の実施形態では、表示部１５及び音声出力部１６をディジタル信号切り替え装置３の内部に設けているが、これに限定されない。例えば、図８に示すように、表示部２３及び音声出力部２４をディジタル信号切り替え装置２２の外部に設けるようにしても良い。更に、Ｄ／Ａ変換部１４をディジタル信号切り替え装置２２の外部に設けるようにしても良い。更に、認証処理部１２及び暗号化解除部１３をディジタル信号切り替え装置２２の外部に設けるようにしても良い。また、操作部１７はリモコンなどの遠隔操作が可能なものでも良い。
【００５６】
また、上記第１の実施形態では、ディジタル信号切り替え装置３が受信するディジタル信号は非圧縮のディジタル信号であるが、これに限定されない。例えば、圧縮されたディジタル信号でも良い。ここで、切り替え後の機器から受信した圧縮されたディジタル信号を伸張するときに、伸張の処理に時間がかかる場合がある。その場合、表示部１５の画面上に何も表示されない状態が生じるときがある。このときに、表示部１５に「受信データ確認中」といったメッセージを表示しても良い。これにより、ディジタル信号の処理の状況を通知することができるので、ユーザを安心させることができる。
【００５７】
また、上記第１の実施形態及び第２の実施形態では、選択された機器から送信されたディジタル信号の受信を開始することで、所望の機器を選択しているが、これに限定されない。例えば、複数の機器から送信されたディジタル信号を入力部１１にて受信し、その中から操作部１７によって選択された機器からのディジタル信号を暗号化解除部１３に出力するようにしても良い。
【００５８】
その他、上記第１の実施形態及び第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【産業上の利用可能性】
【００５９】
本発明は、入力したディジタルビデオ信号を切り替えて表示するディジタル信号切り替え装置に有用である。
【図面の簡単な説明】
【００６０】
【図１】第１の実施形態及び第２の実施形態によるディジタル信号切り替え装置を適用したディジタル信号伝送システムの構成例を示すブロック図である。
【図２】第１の実施形態によるディジタル信号切り替え装置の構成例を示すブロック図である。
【図３】第１の実施形態によるディジタル信号切り替え装置の動作及びディジタル信号切り替え方法の一例を示すフローチャートである。
【図４】第１の実施形態及び第２の実施形態によるディジタル信号切り替え装置を適用したディジタル信号伝送システムの変形例を示すブロック図である。
【図５】第２の実施形態によるディジタル信号切り替え装置の構成例を示すブロック図である。
【図６】第２の実施形態によるディジタル信号切り替え装置の動作及びディジタル信号切り替え方法の一例を示すフローチャートである。
【図７】第１の実施形態及び第２の実施形態によるディジタル信号切り替え装置の表示画面の変形例を示す図である。
【図８】第１の実施形態によるディジタル信号切り替え装置の変形例を示すブロック図である。
【符号の説明】
【００６１】
１    ＤＶＤ再生装置
２    ディジタル放送受信装置
３，１９，２２    ディジタル信号切り替え装置
４    他のディジタル信号切り替え装置
１１    入力部
１２    認証処理部
１３    暗号化解除部
１３ａ    第１の暗号化解除部
１３ｂ    第２の暗号化解除部
１４    Ｄ／Ａ変換部
１５，２３    表示部
１６，２４    音声出力部
１７    操作部
１８    制御部
２０ａ    第１のディジタル信号伸張部
２０ｂ    第２のディジタル信号伸張部
２１    出力切り替え部
【図１】
2006128971.tif 000003
【図２】
2006128971.tif 000004
【図３】
2006128971.tif 000005
【図４】
2006128971.tif 000006
【図５】
2006128971.tif 000007
【図６】
2006128971.tif 000008
【図７】
2006128971.tif 000009
【図８】
2006128971.tif 000010